(57)【要約】【課題】無線タグと読み書き装置とを安定して近接配置し、かつ浄水カートリッジの着脱時等における水漏れを確実に防止する。【解決手段】電解水生成装置Ａは、浄水カートリッジ８０に設けられたＲＦＩＤタグ９０と、ＲＦＩＤタグ９０と近接対向して設けられてＲＦＩＤタグ９０と通信する読み書き装置７０とを備えている。そして、装置本体４０には、装着パネル６１に装着された浄水カートリッジ８０の外周を囲むように形成されてＲＦＩＤタグ９０と読み書き装置７０との距離が一定範囲に保たれるように浄水カートリッジ８０の傾倒を規制するガイドプレート６２が設けられている。【選択図】図５
2014226596.tif 000002
【特許請求の範囲】
【請求項１】
装置本体の装着部に着脱可能な浄水カートリッジと、前記浄水カートリッジから吐出された水を電気分解する電解槽とを備えた電解水生成装置であって、
前記浄水カートリッジの周壁部に設けられた近距離無線通信用の無線タグと、
前記装置本体に、前記装着部に装着された前記浄水カートリッジの前記無線タグと近接して対向するように設けられ、前記無線タグとの間で通信する読み書き装置とを備えており、
前記装置本体には、前記装着部に装着された前記浄水カートリッジの外周を囲むように該装着部から上方に向かって延び、前記無線タグと前記読み書き装置との距離が一定範囲に保たれるように該浄水カートリッジの傾倒を規制するガイド部が設けられている
ことを特徴とする電解水生成装置。
【請求項２】
請求項１記載の電解水生成装置において、
前記無線タグは、電力伝送および無線通信を行うための平面型アンテナを有しており、
前記ガイド部の高さは、前記装着部に装着された前記浄水カートリッジにおける前記平面型アンテナの上端位置よりも低い
ことを特徴とする電解水生成装置。
【請求項３】
請求項２記載の電解水生成装置において、
前記ガイド部の高さは、前記装着部に装着された前記浄水カートリッジにおける前記平面型アンテナの下端位置よりも低い
ことを特徴とする電解水生成装置。
【請求項４】
請求項１記載の電解水生成装置において、
前記ガイド部の高さは、前記装着部に装着された前記浄水カートリッジの上下方向中央位置よりも低い
ことを特徴とする電解水生成装置。
【請求項５】
請求項１記載の電解水生成装置において、
前記ガイド部の高さは、前記装着部に装着された前記浄水カートリッジの全長の１／１０よりも高い
ことを特徴とする電解水生成装置。
【請求項６】
請求項１記載の電解水生成装置において、
前記浄水カートリッジの下端部には、水の流入口および流出口のうちの少なくともいずれか一方が、該浄水カートリッジ底面の中心以外の部位に設けられており、
前記装置本体の装着部には、前記水の流入口および流出口のうちの少なくともいずれか一方と対応するように連通孔が設けられている
ことを特徴とする電解水生成装置。
【請求項７】
請求項１記載の電解水生成装置において、
前記無線タグは、前記浄水カートリッジの外周面に貼り付けられている
ことを特徴とする電解水生成装置。
【請求項８】
請求項１記載の電解水生成装置において、
前記無線タグは、パッシブ型ＲＦＩＤ（Radio Frequency Identification）タグである
ことを特徴とする電解水生成装置。
【発明の詳細な説明】
【技術分野】
【０００１】
本発明は、装置本体に着脱可能な浄水カートリッジを備えた電解水生成装置に関する。
【背景技術】
【０００２】
電解水生成装置では、一般的に、着脱可能な浄水カートリッジ（以下、純正カートリッジともいう）を備えており、浄水カートリッジは、浄水した積算水量や積算時間等に応じて定期的な交換が必要である。しかしながら、近年、電解水生成装置の製造メーカー以外の第三者が、その装置専用の浄水カートリッジと同様の形状および大きさで交換用の浄水カートリッジ（以下、交換用カートリッジともいう）を製造・販売している。このような交換用カートリッジを使用すると、電解水生成装置の正確な機能が損なわれたり、その安全性が確保できなかったりといった問題が生じる。
【０００３】
このような問題に関連して、特許文献１には、溶接作業に使用される産業用の排気装置、真空クリーナー等または循環中に液体がろ過される流体回路内で使用可能なろ過装置において、フィルタを交換した場合における取り付けが不正確だったり、間違った型式を取り付けたりするなどの問題を解決する技術が開示されている。具体的には、この特許文献１のろ過装置およびフィルタの組立体は、フィルタに設けられた電子ラベルと、ろ過装置に設けられた読み取り手段とを有しており、読み取り手段は、電子ラベルの保有するフィルタに関する情報を読み取り、適正な型式のフィルタが正確に取り付けられているか否かを点検し、これにより不適切なフィルタの取り付けを回避するものである。
【０００４】
また、特許文献２には、電解整水装置において、交換用カートリッジを使用できないようにできる技術が開示されている。具体的には、この特許文献２では、純正カートリッジのケーシングの任意の部分にＩＣタグを設け、本体にこのＩＣタグに対して情報の読み書きを行うリード・ライター装置を設けている。このリード・ライター装置は、ＩＣタグに組込んでおいたＵＩＤ（User Identifier）を識別可能に構成されており、これにより本体に取り付けられた浄水カートリッジが純正カートリッジであるか否かを検知するものである。
【０００５】
特許文献３には、保護外殻下に埋め込まれたＲＦＩＤタグを備えたろ過装置が開示されている。この特許文献３では、その内蔵型ＲＦＩＤタグへのデータの書き込みおよび読み出しによって、ローディングマップの作成、並びに流体ろ過装置の監視、追加および交換を容易にしている。
【０００６】
特許文献４には、還元水素水生成装置において、下端部に通水用の孔を有する２つの突状部が設けられた浄水カートリッジホルダ（浄水カートリッジを含む）を装置本体の凹部に上から嵌合させて、浄水カートリッジを装置本体に取り付ける取付構造が開示されている（特許文献４の図１０参照）。
【先行技術文献】
【特許文献】
【０００７】
【特許文献１】特開２００４−１４８２９９号公報
【特許文献２】特開２０１２−１６６４３号公報
【特許文献３】特表２００７−５２７３１８号公報
【特許文献４】特許第４０１０４５３号公報
【発明の概要】
【発明が解決しようとする課題】
【０００８】
電解水生成装置の装置本体に取り付けられた浄水カートリッジが純正カートリッジか否かの識別を行う近距離無線通信用の無線タグとしてパッシブ型無線タグを使用する場合、無線タグは、読み書き装置からアンテナに受けた電波を電力に変換し、その電力によって制御回路や記憶回路等を動作させる。このようなパッシブ型無線タグは、例えば浄水カートリッジのケーシングの外表面等に設けられる。しかしながら、浄水カートリッジ内に水が流れると、水がない場合と比較してアンテナの共振点が変わるため、パッシブ型無線タグにおける受信電力が低下し、無線タグ内の回路の動作が不安定になることがある。そのため、カートリッジへの通水の有無（アンテナの共振点の変化）によらずに安定した受信電力を確保するには、無線タグと読み書き装置との距離をできるだけかつ安定的に近接させることが望まれる。また、アクティブ型無線タグや電池内蔵型の無線タグにおいても、無線通信の安定性を向上させるためには、無線タグと読み書き装置との距離をできるだけかつ安定的に近接させることが望ましい。
【０００９】
また、装置本体に着脱可能な浄水カートリッジおよび浄水カートリッジから排出された水を電気分解する電解槽が収容された電解水生成装置においては、水の電気分解用の電源として高電圧および高電流の電源を使用するため、例えば浄水カートリッジの着脱時に装置内に水漏れが発生した場合、漏水による漏電や故障等の恐れがあり、浄水カートリッジから装置本体への水漏れを確実に防止することが望まれる。
【００１０】
特許文献１および２には、無線タグを用いてカートリッジが純正であるか否かを検知する技術が開示されているが、通水の有無（アンテナの共振点の変化）によらずに安定した受信電力を確保するという課題、および課題解決のための具体的構成（例えば無線タグと読み書き装置との距離を近づけるための具体的構成等）については記載も示唆もされていない。
【００１１】
また、特許文献４記載の技術では、浄水カートリッジホルダを嵌合するための凹部が装置本体に形成されているが、例えば下端部に通水口を有する浄水カートリッジを通水後の交換時に取り外すことを考えた場合、必ずしも水漏れ防止のために十分な貯水容量を有しているとはいえない。
【００１２】
本発明は、上記課題を解決するためになされたものであり、その主な目的は、無線タグと読み書き装置とを安定して近接配置することを可能にし、かつ浄水カートリッジの着脱時等における水漏れを確実に防止することを可能にした電解水生成装置を提供することにある。
【課題を解決するための手段】
【００１３】
上記の目的を達成するため、本発明では、電解水生成装置において、装着部に装着された浄水カートリッジの外周を囲むように装着部から上方に向かって延びるガイド部を設け、このガイド部により無線タグと読み書き装置との距離が一定範囲に保たれるように浄水カートリッジの傾倒を規制することをした。
【００１４】
すなわち、本発明の第１態様では、装置本体の装着部に着脱可能な浄水カートリッジと、浄水カートリッジから吐出された水を電気分解する電解槽とを備えた電解水生成装置であって、この電解水生成装置は、浄水カートリッジの周壁部に設けられた近距離無線通信用の無線タグと、装置本体に、前記装着部に装着された浄水カートリッジの無線タグと近接して対向するように設けられ、無線タグとの間で通信する読み書き装置とを備えている。装置本体には、装着部に装着された浄水カートリッジの外周を囲むように装着部から上方に向かって延び、無線タグと読み書き装置との距離が一定範囲に保たれるように浄水カートリッジの傾倒を規制するガイド部が設けられている。
【００１５】
この態様によると、装置本体のガイド部によって、装着部に装着された浄水カートリッジの傾倒が規制され、無線タグと読み書き装置との距離が一定範囲に保たれるため、浄水カートリッジが装着部に装着された状態においては無線タグと読み書き装置との距離を安定的に近接状態に保持することができる。また、このガイド部は、浄水カートリッジの外周を囲むように装着部から上方に向かって延びているため、例えば浄水カートリッジの着脱時において、浄水カートリッジに残留していた水や装置本体側（例えば電解槽）に残留していた水が着脱のための接続部分から排出された場合においても、その水はガイド部によって外部への流出がせき止められる。これにより、水がガイド部の囲いの外に漏出することがない。したがって、無線タグと読み書き装置とを安定して近接配置することができ、かつ浄水カートリッジの着脱等による装置本体等への水漏れを確実に防止することができる。
【００１６】
本発明の第２態様では、第１態様記載の電解水生成装置において、無線タグは、電力伝送および無線通信を行うための平面型アンテナを有しており、ガイド部の高さは、装着部に装着された前記浄水カートリッジにおける平面型アンテナの上端位置よりも低いことを特徴とする。
【００１７】
この態様によると、仮にガイド部内に水が一杯に溜まった場合においても、無線タグの平面型アンテナの少なくとも一部（上部）は水面よりも高い位置に位置していることになる。これにより、ガイド部内が浸水した場合において、平面型アンテナの水による受信電力の低下の影響を軽減することができる。
【００１８】
本発明の第３態様では、第２態様記載の電解水生成装置において、ガイド部の高さは、装着部に装着された浄水カートリッジにおける平面型アンテナの下端位置よりも低いことを特徴とする。
【００１９】
この態様によると、仮にガイド部内に水が一杯に溜まった場合においても、無線タグの平面型アンテナの全体が水面よりも高い位置に位置していることになる。これにより、ガイド部内が浸水した場合において、平面型アンテナの水による受信電力の低下の影響を排除することができる。
【００２０】
本発明の第４態様では、第１態様記載の電解水生成装置において、ガイド部の高さは、装着部に装着された浄水カートリッジの上下中央位置よりも低いことを特徴とする。
【００２１】
この態様によると、ガイド部の高さが浄水カートリッジの上下中央位置よりも低く設定されているため、この浄水カートリッジの上下中央位置よりもガイド部の方が高い場合と比較して、浄水カートリッジの着脱時に、浄水カートリッジをスムーズに傾倒させつつまたは傾倒させることなく取出方向にスライドさせることができるようになる。したがって、浄水カートリッジの着脱が容易になる。これにより、第１態様の効果に加えて、使用者の利便性が向上するとともに、例えばキッチンのシンク下のように高さ方向のスペースが限られたような場所にも電解水生成装置を問題なく設置することができる。
【００２２】
本発明の第５態様では、第１態様記載の電解水生成装置において、ガイド部の高さは、装着部に装着された浄水カートリッジの全長の１／１０よりも高くする。
【００２３】
この態様によると、ガイド部の高さが装着部に装着された浄水カートリッジの全長の１／１０よりも高く設定されているため、例えば浄水カートリッジに残留していた水や装置本体側（例えば電解槽）に残留していた水が着脱のための接続部分から排出された場合においても、より確実にガイド部外に漏水することを防ぐことができる。すなわち、発明者らは、種々の検討を行った結果、一般的な速さで浄水カートリッジを取り外す場合おいて、浄水カートリッジや装置本体側（例えば電解槽）に残水があったときでも、ガイド部を浄水カートリッジの全長の１／１０よりも高く設定することによって、漏水をほぼ確実に防ぐことができるとする結論に至った。
【００２４】
本発明の第６態様では、第１態様記載の電解水生成装置において、浄水カートリッジの下端部には、水の流入口および流出口のうちの少なくともいずれか一方が、浄水カートリッジ底面の中心以外の部位に設けられており、装置本体の装着部には、水の流入口および流出口のうちの少なくともいずれか一方と対応するように連通孔が設けられている。
【００２５】
この態様によると、浄水カートリッジの水の流入口および流出口のうちの少なくともいずれか一方（以下、通水口ともいう）は、浄水カートリッジ底面の中心以外の部位に配置されているため、無線タグを設ける位置を決定するための基準にすることができる。具体的には、浄水カートリッジが装置本体の装着部に装着された状態において、通水口の位置を基準にして、読み書き装置と近接対向するように無線タグを設けることができる。これにより、浄水カートリッジを装着部に装着すると自助的に無線タグが読み書き装置と近接して対向するように位置決めされ、より安定的に無線タグと読み書き装置とを近接配置することができる。
【００２６】
本発明の第７態様では、第１態様記載の電解水生成装置において、無線タグは、浄水カートリッジの外周面に貼り付けられている。
【００２７】
この態様によると、例えば無線タグを浄水カートリッジの側壁内部や内周面に設けた場合と比較して、無線タグと読み書き装置とをより近づけて配置することができる。
【００２８】
本発明の第８態様では、第１態様記載の電解水生成装置において、無線タグは、パッシブ型ＲＦＩＤ（Radio Frequency Identification）タグである。
【００２９】
この態様によると、パッシブ型ＲＦＩＤタグを用いることにより、電池を内蔵する必要がないためコストを削減することができ、さらに無線タグを浄水カートリッジの外周面に容易に貼りつけることができる。
【発明の効果】
【００３０】
本発明によれば、電解水生成装置において、浄水カートリッジに設けられた無線タグと読み書き装置とを安定して近接配置することができ、かつ浄水カートリッジから装置本体等への水漏れを確実に防止することができる。
【図面の簡単な説明】
【００３１】
【図１】実施形態に係る電解水生成装置を斜め後方上側から見た斜視図である。
【図２】実施形態に係る電解水生成装置の内部構成を示す概略図である。
【図３】実施形態に係る電解水生成装置の分解斜視図である。
【図４】（ａ）は浄水カートリッジ斜視図であり、（ｂ）は無線通信タグの構成を示す概略図である。
【図５】装置本体に浄水カートリッジを装着した状態を示す斜視図である。
【図６】装置本体に浄水カートリッジを装着した状態を示す斜視図である。
【発明を実施するための形態】
【００３２】
以下、本発明の実施形態を図面に基づいて詳細に説明する。以下の好ましい実施形態の説明は、本質的に例示に過ぎず、本発明、その適用範囲あるいはその用途を制限することを意図するものではない。
【００３３】
図１〜５は、実施形態に係る電解水生成装置Ａを示した図であり、電解水生成装置Ａは装置本体４０を収容するためのハウジング１０を備える。
【００３４】
ハウジング１０は、図１および図３に示すように、互いに対向して配置された上下方向に延びる対向パネル１１，１２と、両対向パネル１１，１２の上端および下端間をそれぞれ一体に接続する上パネル１４および底パネル１６と、両対向パネル１１，１２の前端（図１で左側）間を一体に接続し、かつハウジング１０の外方に向かって断面円弧形状に突出するように形成された接続パネル１３とを備えている。このハウジング１０には、電解水生成装置Ａの後方に配置された収容カバー１５が、装置本体４０に装着される浄水カートリッジ８０を収容するように接続されており、装置本体４０に取り外し可能に取り付けられている。上パネル１４には、厚さ方向に貫通する通水用の貫通孔１４ａが形成されている。なお、以下の説明において、「前」とは接続パネル１３側を、「後」とは収容カバー１５側を指すものとする。また、「右」とは対向パネル１１側を、「左」とは対向パネル１２側を指すものとする。
【００３５】
電解水生成装置Ａは、さらに、ハウジング１０の上パネル１４の上面から上方に突出する円筒状のキャップ２１と、キャップ２１の外周側面に水平方向に向かって延びるように接続され、かつ吐水方向が変更可能なフレキシブル管からなる吐水管２２と、吐水管２２の先端に取り付けられた吐水ノズル２３とを備えている。
【００３６】
装置本体４０は、図２および図３に示すように、周壁部としての下端部寄りの外周面に無線タグとしてのＲＦＩＤタグ９０が貼り付けられた水道水を浄水するための浄水カートリッジ８０と、浄水カートリッジ８０で浄水した水を電気分解することによって電解水を生成する電解槽５１と、電解槽５１に電解用電源を供給する電源回路等が搭載された制御基板５０と、ハウジング１０内において浄水カートリッジ８０、電解槽５１及び制御基板５０をそれぞれ収容する空間を分割する分割フレーム３０と、装置本体４０に浄水カートリッジ８０を着脱可能に取り付けるカートリッジ取付部６０と、ＲＦＩＤタグ９０との間で無線通信する読み書き装置７０とを備えている。
【００３７】
電解槽５１で生成された電解水素水（電解還元水）は、流水管２６、接続部２５およびハウジング１０のキャップ２１を介して吐水管２２に接続されている。具体的には、流水管２６の一端は、電解槽５１のケースに取り付けられ、流水管２６の他端は、接続部２５の一端に接続されている。これにより、電解水生成装置Ａからは、例えば使用者の外部からの操作に応じて選択された吐水状態の水が吐水ノズル２３から吐水される。吐水状態とは、例えば、水素水（還元水）、酸性水および浄水のように吐水ノズル２３から吐水する水の種別およびそのｐＨの高低の状態等のことを指す。また、接続部２５の他端は、キャップ２１を介して吐水管２２に接続されている。
【００３８】
分割フレーム３０は、図２及び図３に示すように、制御基板５０と電解槽５１との間に立設された板状の第１中間フレーム３１と、電解槽５１と浄水カートリッジ８０との間に立設されかつ第１中間フレーム３１よりも高い第２中間フレーム３２とを備えている。また、第１中間フレーム３１の上端と第２中間フレーム３２との上端とは、段部を有する板状の連結フレーム３３によって一体に接続されている。さらに、連結フレーム３３の第２フレーム側（上段部分）の前後方向の中程には、図３に示すように、左側端部から内方に向かって延びるＵ字形状の切欠部３３ａが形成されており、接続部２５はこの切欠部３３ａに嵌め込まれて装置本体４０に固定されている。また、第１中間フレーム３１の下端部には左右両側において前側に延びかつその中央に厚さ方向の貫通孔が形成された板状の固定片３６，３６が一体形成され、底パネル１６の対応する位置に形成された係合孔１６ａ，１６ａにネジ等によって固定される。
【００３９】
カートリッジ取付部６０は、第２中間フレーム３２の下端部から後方に延びるように、かつ後側が円弧形状に一体形成された装着部としての装着パネル６１と、装着パネル６１の後側の外周縁から浄水カートリッジ８０の外周を囲むように上方に延びる板状のガイド部としてのガイドプレート６２とをさらに備えている。装着パネル６１には、浄水カートリッジ８０における後述する水の流入部８３および流出部８４と対応した位置にそれぞれ上下方向に貫通する連通孔からなる流入孔６１ａおよび流出孔６１ｂが形成されている。具体的には、流出孔６１ｂは装着パネル６１の略中央部分に、また流入孔６１ａは流出孔６１ｂよりも左前方にそれぞれ形成されている。また、装着パネル６１の左右両後側には厚さ方向に貫通孔６１ｃ，６１ｃが形成され、底パネル１６の対応する位置に形成された係合孔１６ｂ，１６ｂにネジ等によって固定される。
【００４０】
このようなガイドプレート６２を設けることによって、例えば浄水カートリッジ８０の着脱時において、浄水カートリッジ８０に残留していた水が流入部８３や流出部８４から排出されたり、装置本体４０側（例えば電解槽５1）に残留していた水が流出孔６１ｂを介して吐出したりする場合においても、水の外部への流出がガイドプレート６２によってせき止められる。これにより、水がガイドプレート６２の外に漏出することがない。また、ガイドプレート６２は、その高さが装着パネル６１に装着された浄水カートリッジ８０の上下中央位置よりも低くなるように設けられている。これにより、浄水カートリッジ８０上下中央位置に比べて、ガイドプレート６２の方が高い場合（例えば、ガイドプレート６２が浄水カートリッジ８０の上端近くまで延びる場合）と比較して、浄水カートリッジ８０の着脱時に、浄水カートリッジ８０をよりスムーズに傾倒させつつまたは傾倒させることなく取出方向にスライドさせることができるようになる。したがって、浄水カートリッジ８０の着脱が容易になる。
【００４１】
なお、第２中間フレーム３２は、浄水カートリッジ８０が装着パネル６１に取り付けられた状態において、浄水カートリッジ８０と対向する面がカートリッジ本体８１およびカートリッジキャップ８２の側面の形状に応じて丸みを帯びた形状に形成されていてもよい。
【００４２】
読み書き装置７０は、第２中間フレーム３２の前側において、底パネル１６の表面から上下方向に立設された矩形板状の支持部７１と、支持部７１の上端に上下方向に一体に接続され、支持部７１よりも左右方向に幅広に形成された矩形板状の読み書き部７２とを備えている。読み書き部７２には、第２中間フレーム３２と対向する側にＲＦＩＤタグ９０との間で電力伝送および無線通信を行うためのアンテナ（図示しない）が設けられている。
【００４３】
浄水カートリッジ８０は、図３および図４に示すように、上端が開口されかつフィルタを収容するための有底円筒形状のカートリッジ本体８１と、カートリッジ本体８１の上端部にネジによって螺合締結されて浄水カートリッジ８０の上端開口を密閉するカートリッジキャップ８２と、カートリッジ本体８１の下端部に下側に突出するように一体形成され、カートリッジ本体８１内に連結する流入口を有する流入部８３および同様の流出口を有する流出部８４とを備えている。流出部８４は、浄水カートリッジ８０の下端部の略中心に装着パネル６１の流出孔６１ｂと対応するように形成されており、流入部８３は、浄水カートリッジ８０が装着パネル６１に取り付けられた状態において流出部８４より左前側であり、かつ装着パネル６１の流入孔６１ａと対応する位置に形成されている。
【００４４】
このように、流入部８３を浄水カートリッジ８０の底面の中心以外の場所に設けることによって、流入部８３の位置を基準にして、読み書き装置７０の位置に近接対向するようにＲＦＩＤタグ９０を設ける（貼りつける）ことができる。
【００４５】
ＲＦＩＤタグ９０は、外周縁に沿って形成された平面型アンテナ９１と、平面型アンテナ９１の両端部と接続された記憶回路等が搭載されたＩＣ（Integrated Circuit）９２とを備え、浄水カートリッジ８０の下端部寄りの外周面に貼り付けられている。具体的には、流入部８３の位置を基準として、流入部８３側の外周面に貼り付けられている。
【００４６】
これにより、図５に示すように、浄水カートリッジ８０が装着パネル６１に装着されたとき、ＲＦＩＤタグ９０と読み書き装置７０とが近接対向する。このとき、ガイドプレート６２が浄水カートリッジ８０の下部周辺を囲んでいるため、装着された浄水カートリッジ８０が傾倒することはない。これにより、ＲＦＩＤタグ９０と読み書き装置７０とを安定して近接配置することができる。また、浄水カートリッジ８０が装着パネル６１に装着された状態において、ＲＦＩＤタグ９０の平面型アンテナ９１の上端位置は、ガイドプレート６２の上端位置よりも高い。これにより、仮にガイドプレート６２内に水が一杯になるように浸水した場合においても、ＲＦＩＤタグ９０の平面型アンテナ９１の少なくとも上部は水面よりも高い位置にある。したがって、ガイドプレート６２内が浸水した場合において、平面型アンテナ９１の水による受信電力の低下の影響を軽減することができる。さらに、ガイドプレート６２の高さは、装着パネル６１に装着された浄水カートリッジ８０の全長の１／１０よりも高くなっている。これにより、浄水カートリッジ８０を取り外す場合において、浄水カートリッジ８０や装置本体４０側（例えば電解槽５１）に残水があったときでも、漏水をほぼ確実に防ぐことができる。
【００４７】
なお、平面型アンテナ９１およびＩＣ９２の表面は、ＲＦＩＤタグ９０が浸水した場合でも濡れないように耐水性のシート（図示しない）で覆われている。
【００４８】
ＩＣ９２の記憶回路（図示しない）には、あらかじめＵＩＤ（User Identifier）が記憶されており、このＵＩＤを読み書き装置７０が読み取って、適正な浄水カートリッジが取り付けられているか否かを点検する。具体的には、制御基板５０に搭載された制御回路（図示しない）が読み書き装置７０で読み取られたＵＩＤを受け取り、適正な浄水カートリッジが取り付けられているか否かを判定する。制御回路は、例えば中央演算装置（ＣＰＵ）やマイクロコンピュータなどで実現できる。なお、上記の点検の結果、不適正な浄水カートリッジが取り付けられていた場合に、制御基板５０の制御回路は、電解槽５１による水の電気分解を停止したり、吐水ノズル２３からの吐水を停止したり、不適正な浄水カートリッジへの水の流入を阻止するように制御してもよい。このように不適正な浄水カートリッジへの水の流入を阻止することにより、仮に浄水カートリッジが粗悪なもの（例えば、浄水が十分に行われないものや浄水カートリッジから有害な物質等が排出されるもの）であった場合に、浄水カートリッジから電解水生成装置内の構成物（例えば電解槽等）に有害な物質等が流入することを阻止することができる。
【００４９】
また、ＩＣ９２には、読み書き装置７０から各種情報の書き込みおよび読み出しが可能である。例えば、浄水カートリッジ８０を通水した積算の水量、浄水カートリッジ８０を交換してからの積算時間、浄水カートリッジ８０の時間および水量による寿命等を書き込み／読み出ししてもよい。さらに、水素水、酸性水および浄水のような吐水状態ごとの積算時間を記録するようにしてもよい。また、所定の水量を使用するまでの積算時間を所定の水量毎に記録するようにしてもよい。このような記憶情報は、例えば浄水カートリッジの交換時期の報知に加えて、電解水生成装置Ａや浄水カートリッジ８０の不具合が発生した際の解析などに用いることができる。さらに上記のように積算水量を記憶することにより、浄水カートリッジ８０を使用している途中で装着先の機器を変更したときでも、積算途中の水量から再カウントし、その再カウント結果に基づいて、浄水カートリッジ８０の交換時期を報知することができる。
【００５０】
また、浄水カートリッジ８０の出荷前検査において、検査した回数を検査装置からＩＣ９２の記憶回路に書込むようにしてもよい。このように検査回数を記憶することにより、未検査の状態で出荷されることを防ぐことができる。
【００５１】
以上のように、本実施形態によると、装置本体４０の装着パネル６１の後側の外周縁から浄水カートリッジ８０の外周を囲むように上方に延びる板状のガイドプレート６２を設けることによって、装置本体４０や浄水カートリッジ８０の残留水等のガイドプレート６２外への漏水が防がれる。さらに、ガイドプレート６２は、装着された浄水カートリッジ８０を囲むように上下方向に延びているため、装着された浄水カートリッジ８０が傾倒することはない。すなわち、ＲＦＩＤタグ９０と読み書き装置７０とを安定して近接配置することができ、かつ浄水カートリッジ８０から装置本体４０等への水漏れを確実に防止することができる。
【００５２】
［その他の実施形態］
以上、本発明を好ましい実施形態により説明してきたが、種々の改変が可能である。
【００５３】
例えば、上記の実施形態において、ＲＦＩＤタグ９０は浄水カートリッジ８０の下端部寄りの外周に貼りつけられているものとしたが、これに限られるものではない。例えば、図６に示すように、浄水カートリッジ８０が装着パネル６１に装着された状態において、ＲＦＩＤタグ９０は、平面型アンテナ９１の下端位置が、ガイドプレート６２の上端位置よりも高くなるように、浄水カートリッジ８０に貼りつけられてもよい。このとき、支持部７１の高さもＲＦＩＤタグ９０の貼り付け位置に応じて上方向に延ばすようにする。これにより、ガイドプレート６２内が浸水した場合においても、ＲＦＩＤタグ９０の平面型アンテナ９１は全体が水の影響を受けない。これにより、ガイドプレート６２内が浸水した場合において、平面型アンテナ９１の浸水による受信電力の低下の影響を排除することができる。また、ガイドプレート６２の高さを変えることによって、ＲＦＩＤタグ９０の平面型アンテナ９１の位置とガイドプレート６２上端の位置を調整してもかまわない。
【００５４】
また、上記の実施形態では、近距離無線通信用の無線タグとして、パッシブ型のＲＦＩＤタグを用いる例について説明したが、他の無線タグを用いてもかまわない。例えば、アクティブ型のＲＦＩＤタグや電池内蔵型のＲＦＩＤタグを用いてもよいし、他の無線タグを用いてもかまわない。
【００５５】
また、本実施形態では、浄水カートリッジ８０の水の流入部８３は、浄水カートリッジ８０の下端に設けられているものとしたが、下端以外の部分（例えば上端）に設けられていてもかまわない。
【符号の説明】
【００５６】
Ａ  電解水生成装置（飲用水処理装置）
４０  装置本体
５１  電解槽
６１  装着パネル（装着部）
６１ａ  流入孔（連通孔）
６１ｂ  流出孔（連通孔）
６２  ガイドプレート（ガイド部）
７０  読み書き装置
８０  浄水カートリッジ
９０  ＲＦＩＤタグ（無線タグ）
９１  平面型アンテナ
【図１】
2014226596.tif 000003
【図２】
2014226596.tif 000004
【図３】
2014226596.tif 000005
【図４】
2014226596.tif 000006
【図５】
2014226596.tif 000007
【図６】
2014226596.tif 000008
【手続補正書】
【提出日】平成26年8月25日(2014.8.25)
【手続補正１】
【補正対象書類名】明細書
【補正対象項目名】全文
【補正方法】変更
【補正の内容】
【発明の詳細な説明】
【技術分野】
【０００１】
本発明は、装置本体に着脱可能な浄水カートリッジを備えた電解水生成装置に関する。
【背景技術】
【０００２】
電解水生成装置では、一般的に、着脱可能な浄水カートリッジ（以下、純正カートリッジともいう）を備えており、浄水カートリッジは、浄水した積算水量や積算時間等に応じて定期的な交換が必要である。しかしながら、近年、電解水生成装置の製造メーカー以外の第三者が、その装置専用の浄水カートリッジと同様の形状および大きさで交換用の浄水カートリッジ（以下、交換用カートリッジともいう）を製造・販売している。このような交換用カートリッジを使用すると、電解水生成装置の正確な機能が損なわれたり、その安全性が確保できなかったりといった問題が生じる。
【０００３】
このような問題に関連して、特許文献１には、溶接作業に使用される産業用の排気装置、真空クリーナー等または循環中に液体がろ過される流体回路内で使用可能なろ過装置において、フィルタを交換した場合における取り付けが不正確だったり、間違った型式を取り付けたりするなどの問題を解決する技術が開示されている。具体的には、この特許文献１のろ過装置およびフィルタの組立体は、フィルタに設けられた電子ラベルと、ろ過装置に設けられた読み取り手段とを有しており、読み取り手段は、電子ラベルの保有するフィルタに関する情報を読み取り、適正な型式のフィルタが正確に取り付けられているか否かを点検し、これにより不適切なフィルタの取り付けを回避するものである。
【０００４】
また、特許文献２には、電解整水装置において、交換用カートリッジを使用できないようにできる技術が開示されている。具体的には、この特許文献２では、純正カートリッジのケーシングの任意の部分にＩＣタグを設け、本体にこのＩＣタグに対して情報の読み書きを行うリード・ライター装置を設けている。このリード・ライター装置は、ＩＣタグに組込んでおいたＵＩＤ（User Identifier）を識別可能に構成されており、これにより本体に取り付けられた浄水カートリッジが純正カートリッジであるか否かを検知するものである。
【０００５】
特許文献３には、保護外殻下に埋め込まれたＲＦＩＤタグを備えたろ過装置が開示されている。この特許文献３では、その内蔵型ＲＦＩＤタグへのデータの書き込みおよび読み出しによって、ローディングマップの作成、並びに流体ろ過装置の監視、追加および交換を容易にしている。
【０００６】
特許文献４には、還元水素水生成装置において、下端部に通水用の孔を有する２つの突状部が設けられた浄水カートリッジホルダ（浄水カートリッジを含む）を装置本体の凹部に上から嵌合させて、浄水カートリッジを装置本体に取り付ける取付構造が開示されている（特許文献４の図１０参照）。
【先行技術文献】
【特許文献】
【０００７】
【特許文献１】特開２００４−１４８２９９号公報
【特許文献２】特開２０１２−１６６４３号公報
【特許文献３】特表２００７−５２７３１８号公報
【特許文献４】特許第４０１０４５３号公報
【発明の概要】
【発明が解決しようとする課題】
【０００８】
電解水生成装置の装置本体に取り付けられた浄水カートリッジが純正カートリッジか否かの識別を行う近距離無線通信用の無線タグとしてパッシブ型無線タグを使用する場合、無線タグは、読み書き装置からアンテナに受けた電波を電力に変換し、その電力によって制御回路や記憶回路等を動作させる。このようなパッシブ型無線タグは、例えば浄水カートリッジのケーシングの外表面等に設けられる。しかしながら、浄水カートリッジ内に水が流れると、水がない場合と比較してアンテナの共振点が変わるため、パッシブ型無線タグにおける受信電力が低下し、無線タグ内の回路の動作が不安定になることがある。そのため、カートリッジへの通水の有無（アンテナの共振点の変化）によらずに安定した受信電力を確保するには、無線タグと読み書き装置との距離をできるだけかつ安定的に近接させることが望まれる。また、アクティブ型無線タグや電池内蔵型の無線タグにおいても、無線通信の安定性を向上させるためには、無線タグと読み書き装置との距離をできるだけかつ安定的に近接させることが望ましい。
【０００９】
また、装置本体に着脱可能な浄水カートリッジおよび浄水カートリッジから排出された水を電気分解する電解槽が収容された電解水生成装置においては、水の電気分解用の電源として高電圧および高電流の電源を使用するため、例えば浄水カートリッジの着脱時に装置内に水漏れが発生した場合、漏水による漏電や故障等の恐れがあり、浄水カートリッジから装置本体への水漏れを確実に防止することが望まれる。
【００１０】
特許文献１および２には、無線タグを用いてカートリッジが純正であるか否かを検知する技術が開示されているが、通水の有無（アンテナの共振点の変化）によらずに安定した受信電力を確保するという課題、および課題解決のための具体的構成（例えば無線タグと読み書き装置との距離を近づけるための具体的構成等）については記載も示唆もされていない。
【００１１】
また、特許文献４記載の技術では、浄水カートリッジホルダを嵌合するための凹部が装置本体に形成されているが、例えば下端部に通水口を有する浄水カートリッジを通水後の交換時に取り外すことを考えた場合、必ずしも水漏れ防止のために十分な貯水容量を有しているとはいえない。
【００１２】
本発明は、上記課題を解決するためになされたものであり、その主な目的は、無線タグと読み書き装置とを安定して近接配置することを可能にし、かつ浄水カートリッジの着脱時等における水漏れを確実に防止することを可能にした電解水生成装置を提供することにある。
【課題を解決するための手段】
【００１３】
上記の目的を達成するため、本発明では、電解水生成装置において、装着部に装着された浄水カートリッジの外周を囲むように装着部から上方に向かって延びるガイド部を設け、このガイド部により無線タグと読み書き装置との距離が一定範囲に保たれるように浄水カートリッジの傾倒を規制することをした。
【００１４】
すなわち、本発明の第１態様では、装置本体の装着部に着脱可能な浄水カートリッジと、浄水カートリッジから吐出された水を電気分解する電解槽とを備えた電解水生成装置であって、この電解水生成装置は、浄水カートリッジの周壁部に設けられた近距離無線通信用の無線タグと、装置本体に、前記装着部に装着された浄水カートリッジの無線タグと近接して対向するように設けられ、無線タグとの間で通信する読み書き装置とを備えている。装置本体には、装着部に装着された浄水カートリッジの外周を囲むように装着部から上方に向かって延び、無線タグと読み書き装置との距離が一定範囲に保たれるように浄水カートリッジの傾倒を規制するガイド部が設けられており、前記ガイド部は、前記装着部に装着された浄水カートリッジの無線タグと前記読み書き装置との間において該浄水カートリッジの外周の一部を囲み、かつ、前記装置本体内の空間を分割するように上下方向に延びる壁部と、前記装着部に装着された浄水カートリッジの外周の残部を囲むように該装着部から上方に向かって延び、該浄水カートリッジの外周に沿った周方向の両端部がそれぞれ前記壁部の幅方向両端部に接続され、前記壁部より低いガイドプレートとを有し、前記壁部と前記ガイドプレートとによって前記浄水カートリッジの外周を囲んでその傾倒を規制するように構成されている。
【００１５】
この態様によると、装置本体のガイド部によって、装着部に装着された浄水カートリッジの傾倒が規制され、無線タグと読み書き装置との距離が一定範囲に保たれるため、浄水カートリッジが装着部に装着された状態においては無線タグと読み書き装置との距離を安定的に近接状態に保持することができる。また、このガイド部は、浄水カートリッジの外周を囲むように装着部から上方に向かって延びているため、例えば浄水カートリッジの着脱時において、浄水カートリッジに残留していた水や装置本体側（例えば電解槽）に残留していた水が着脱のための接続部分から排出された場合においても、その水はガイド部によって外部への流出がせき止められる。これにより、水がガイド部の囲いの外に漏出することがない。したがって、無線タグと読み書き装置とを安定して近接配置することができ、かつ浄水カートリッジの着脱等による装置本体等への水漏れを確実に防止することができる。
【００１６】
本発明の第２態様では、第１態様記載の電解水生成装置において、無線タグは、電力伝送および無線通信を行うための平面型アンテナを有しており、ガイドプレートの高さは、装着部に装着された前記浄水カートリッジにおける平面型アンテナの上端位置よりも低いことを特徴とする。
【００１７】
この態様によると、仮にガイド部内に水が一杯に溜まった場合においても、無線タグの平面型アンテナの少なくとも一部（上部）は水面よりも高い位置に位置していることになる。これにより、ガイド部内が浸水した場合において、平面型アンテナの水による受信電力の低下の影響を軽減することができる。
【００１８】
本発明の第３態様では、第２態様記載の電解水生成装置において、ガイドプレートの高さは、装着部に装着された浄水カートリッジにおける平面型アンテナの下端位置よりも低いことを特徴とする。
【００１９】
この態様によると、仮にガイド部内に水が一杯に溜まった場合においても、無線タグの平面型アンテナの全体が水面よりも高い位置に位置していることになる。これにより、ガイド部内が浸水した場合において、平面型アンテナの水による受信電力の低下の影響を排除することができる。
【００２０】
本発明の第４態様では、第１態様記載の電解水生成装置において、浄水カートリッジの下端部には、水の流入口および流出口のうちの少なくともいずれか一方が、浄水カートリッジ底面の中心以外の部位に設けられており、装置本体の装着部には、水の流入口および流出口のうちの少なくともいずれか一方と対応するように連通孔が設けられている。
【００２１】
この態様によると、浄水カートリッジの水の流入口および流出口のうちの少なくともいずれか一方（以下、通水口ともいう）は、浄水カートリッジ底面の中心以外の部位に配置されているため、無線タグを設ける位置を決定するための基準にすることができる。具体的には、浄水カートリッジが装置本体の装着部に装着された状態において、通水口の位置を基準にして、読み書き装置と近接対向するように無線タグを設けることができる。これにより、浄水カートリッジを装着部に装着すると自助的に無線タグが読み書き装置と近接して対向するように位置決めされ、より安定的に無線タグと読み書き装置とを近接配置することができる。
【発明の効果】
【００２２】
本発明によれば、電解水生成装置において、浄水カートリッジに設けられた無線タグと読み書き装置とを安定して近接配置することができ、かつ浄水カートリッジから装置本体等への水漏れを確実に防止することができる。
【図面の簡単な説明】
【００２３】
【図１】実施形態に係る電解水生成装置を斜め後方上側から見た斜視図である。
【図２】実施形態に係る電解水生成装置の内部構成を示す概略図である。
【図３】実施形態に係る電解水生成装置の分解斜視図である。
【図４】（ａ）は浄水カートリッジ斜視図であり、（ｂ）は無線通信タグの構成を示す概略図である。
【図５】装置本体に浄水カートリッジを装着した状態を示す斜視図である。
【図６】装置本体に浄水カートリッジを装着した状態を示す斜視図である。
【発明を実施するための形態】
【００２４】
以下、本発明の実施形態を図面に基づいて詳細に説明する。以下の好ましい実施形態の説明は、本質的に例示に過ぎず、本発明、その適用範囲あるいはその用途を制限することを意図するものではない。
【００２５】
図１〜５は、実施形態に係る電解水生成装置Ａを示した図であり、電解水生成装置Ａは装置本体４０を収容するためのハウジング１０を備える。
【００２６】
ハウジング１０は、図１および図３に示すように、互いに対向して配置された上下方向に延びる対向パネル１１，１２と、両対向パネル１１，１２の上端および下端間をそれぞれ一体に接続する上パネル１４および底パネル１６と、両対向パネル１１，１２の前端（図１で左側）間を一体に接続し、かつハウジング１０の外方に向かって断面円弧形状に突出するように形成された接続パネル１３とを備えている。このハウジング１０には、電解水生成装置Ａの後方に配置された収容カバー１５が、装置本体４０に装着される浄水カートリッジ８０を収容するように接続されており、装置本体４０に取り外し可能に取り付けられている。上パネル１４には、厚さ方向に貫通する通水用の貫通孔１４ａが形成されている。なお、以下の説明において、「前」とは接続パネル１３側を、「後」とは収容カバー１５側を指すものとする。また、「右」とは対向パネル１１側を、「左」とは対向パネル１２側を指すものとする。
【００２７】
電解水生成装置Ａは、さらに、ハウジング１０の上パネル１４の上面から上方に突出する円筒状のキャップ２１と、キャップ２１の外周側面に水平方向に向かって延びるように接続され、かつ吐水方向が変更可能なフレキシブル管からなる吐水管２２と、吐水管２２の先端に取り付けられた吐水ノズル２３とを備えている。
【００２８】
装置本体４０は、図２および図３に示すように、周壁部としての下端部寄りの外周面に無線タグとしてのＲＦＩＤタグ９０が貼り付けられた水道水を浄水するための浄水カートリッジ８０と、浄水カートリッジ８０で浄水した水を電気分解することによって電解水を生成する電解槽５１と、電解槽５１に電解用電源を供給する電源回路等が搭載された制御基板５０と、ハウジング１０内において浄水カートリッジ８０、電解槽５１及び制御基板５０をそれぞれ収容する空間を分割する分割フレーム３０と、装置本体４０に浄水カートリッジ８０を着脱可能に取り付けるカートリッジ取付部６０と、ＲＦＩＤタグ９０との間で無線通信する読み書き装置７０とを備えている。
【００２９】
電解槽５１で生成された電解水素水（電解還元水）は、流水管２６、接続部２５およびハウジング１０のキャップ２１を介して吐水管２２に接続されている。具体的には、流水管２６の一端は、電解槽５１のケースに取り付けられ、流水管２６の他端は、接続部２５の一端に接続されている。これにより、電解水生成装置Ａからは、例えば使用者の外部からの操作に応じて選択された吐水状態の水が吐水ノズル２３から吐水される。吐水状態とは、例えば、水素水（還元水）、酸性水および浄水のように吐水ノズル２３から吐水する水の種別およびそのｐＨの高低の状態等のことを指す。また、接続部２５の他端は、キャップ２１を介して吐水管２２に接続されている。
【００３０】
分割フレーム３０は、図２及び図３に示すように、制御基板５０と電解槽５１との間に立設された板状の第１中間フレーム３１と、電解槽５１と浄水カートリッジ８０との間に立設されかつ第１中間フレーム３１よりも高い第２中間フレーム３２とを備えている。また、第１中間フレーム３１の上端と第２中間フレーム３２との上端とは、段部を有する板状の連結フレーム３３によって一体に接続されている。さらに、連結フレーム３３の第２フレーム側（上段部分）の前後方向の中程には、図３に示すように、左側端部から内方に向かって延びるＵ字形状の切欠部３３ａが形成されており、接続部２５はこの切欠部３３ａに嵌め込まれて装置本体４０に固定されている。また、第１中間フレーム３１の下端部には左右両側において前側に延びかつその中央に厚さ方向の貫通孔が形成された板状の固定片３６，３６が一体形成され、底パネル１６の対応する位置に形成された係合孔１６ａ，１６ａにネジ等によって固定される。
【００３１】
カートリッジ取付部６０は、第２中間フレーム３２の下端部から後方に延びるように、かつ後側が円弧形状に一体形成された装着部としての装着パネル６１と、装着パネル６１の後側の外周縁から浄水カートリッジ８０の外周を囲むように上方に延びる板状のガイド部としてのガイドプレート６２とをさらに備えている。装着パネル６１には、浄水カートリッジ８０における後述する水の流入部８３および流出部８４と対応した位置にそれぞれ上下方向に貫通する連通孔からなる流入孔６１ａおよび流出孔６１ｂが形成されている。具体的には、流出孔６１ｂは装着パネル６１の略中央部分に、また流入孔６１ａは流出孔６１ｂよりも左前方にそれぞれ形成されている。また、装着パネル６１の左右両後側には厚さ方向に貫通孔６１ｃ，６１ｃが形成され、底パネル１６の対応する位置に形成された係合孔１６ｂ，１６ｂにネジ等によって固定される。
【００３２】
このようなガイドプレート６２を設けることによって、例えば浄水カートリッジ８０の着脱時において、浄水カートリッジ８０に残留していた水が流入部８３や流出部８４から排出されたり、装置本体４０側（例えば電解槽５1）に残留していた水が流出孔６１ｂを介して吐出したりする場合においても、水の外部への流出がガイドプレート６２によってせき止められる。これにより、水がガイドプレート６２の外に漏出することがない。また、ガイドプレート６２は、その高さが装着パネル６１に装着された浄水カートリッジ８０の上下中央位置よりも低くなるように設けられている。これにより、浄水カートリッジ８０上下中央位置に比べて、ガイドプレート６２の方が高い場合（例えば、ガイドプレート６２が浄水カートリッジ８０の上端近くまで延びる場合）と比較して、浄水カートリッジ８０の着脱時に、浄水カートリッジ８０をよりスムーズに傾倒させつつまたは傾倒させることなく取出方向にスライドさせることができるようになる。したがって、浄水カートリッジ８０の着脱が容易になる。
【００３３】
なお、第２中間フレーム３２は、浄水カートリッジ８０が装着パネル６１に取り付けられた状態において、浄水カートリッジ８０と対向する面がカートリッジ本体８１およびカートリッジキャップ８２の側面の形状に応じて丸みを帯びた形状に形成されていてもよい。
【００３４】
読み書き装置７０は、第２中間フレーム３２の前側において、底パネル１６の表面から上下方向に立設された矩形板状の支持部７１と、支持部７１の上端に上下方向に一体に接続され、支持部７１よりも左右方向に幅広に形成された矩形板状の読み書き部７２とを備えている。読み書き部７２には、第２中間フレーム３２と対向する側にＲＦＩＤタグ９０との間で電力伝送および無線通信を行うためのアンテナ（図示しない）が設けられている。
【００３５】
浄水カートリッジ８０は、図３および図４に示すように、上端が開口されかつフィルタを収容するための有底円筒形状のカートリッジ本体８１と、カートリッジ本体８１の上端部にネジによって螺合締結されて浄水カートリッジ８０の上端開口を密閉するカートリッジキャップ８２と、カートリッジ本体８１の下端部に下側に突出するように一体形成され、カートリッジ本体８１内に連結する流入口を有する流入部８３および同様の流出口を有する流出部８４とを備えている。流出部８４は、浄水カートリッジ８０の下端部の略中心に装着パネル６１の流出孔６１ｂと対応するように形成されており、流入部８３は、浄水カートリッジ８０が装着パネル６１に取り付けられた状態において流出部８４より左前側であり、かつ装着パネル６１の流入孔６１ａと対応する位置に形成されている。
【００３６】
このように、流入部８３を浄水カートリッジ８０の底面の中心以外の場所に設けることによって、流入部８３の位置を基準にして、読み書き装置７０の位置に近接対向するようにＲＦＩＤタグ９０を設ける（貼りつける）ことができる。
【００３７】
ＲＦＩＤタグ９０は、外周縁に沿って形成された平面型アンテナ９１と、平面型アンテナ９１の両端部と接続された記憶回路等が搭載されたＩＣ（Iintegrated Ccircuit ）９２とを備え、浄水カートリッジ８０の下端部寄りの外周面に貼り付けられている。具体的には、流入部８３の位置を基準として、流入部８３側の外周面に貼り付けられている。
【００３８】
これにより、図５に示すように、浄水カートリッジ８０が装着パネル６１に装着されたとき、ＲＦＩＤタグ９０と読み書き装置７０とが近接対向する。このとき、ガイドプレート６２が浄水カートリッジ８０の下部周辺を囲んでいるため、装着された浄水カートリッジ８０が傾倒することはない。これにより、ＲＦＩＤタグ９０と読み書き装置７０とを安定して近接配置することができる。また、浄水カートリッジ８０が装着パネル６１に装着された状態において、ＲＦＩＤタグ９０の平面型アンテナ９１の上端位置は、ガイドプレート６２の上端位置よりも高い。これにより、仮にガイドプレート６２内に水が一杯になるように浸水した場合においても、ＲＦＩＤタグ９０の平面型アンテナ９１の少なくとも上部は水面よりも高い位置にある。したがって、ガイドプレート６２内が浸水した場合において、平面型アンテナ９１の水による受信電力の低下の影響を軽減することができる。さらに、ガイドプレート６２の高さは、装着パネル６１に装着された浄水カートリッジ８０の全長の１／１０よりも高くなっている。これにより、浄水カートリッジ８０を取り外す場合において、浄水カートリッジ８０や装置本体４０側（例えば電解槽５１）に残水があったときでも、漏水をほぼ確実に防ぐことができる。
【００３９】
なお、平面型アンテナ９１およびＩＣ９２の表面は、ＲＦＩＤタグ９０が浸水した場合でも濡れないように耐水性のシート（図示しない）で覆われている。
【００４０】
ＩＣ９２の記憶回路（図示しない）には、あらかじめＵＩＤ（User Identifier）が記憶されており、このＵＩＤを読み書き装置７０が読み取って、適正な浄水カートリッジが取り付けられているか否かを点検する。具体的には、制御基板５０に搭載された制御回路（図示しない）が読み書き装置７０で読み取られたＵＩＤを受け取り、適正な浄水カートリッジが取り付けられているか否かを判定する。制御回路は、例えば中央演算装置（ＣＰＵ）やマイクロコンピュータなどで実現できる。なお、上記の点検の結果、不適正な浄水カートリッジが取り付けられていた場合に、制御基板５０の制御回路は、電解槽５１による水の電気分解を停止したり、吐水ノズル２３からの吐水を停止したり、不適正な浄水カートリッジへの水の流入を阻止するように制御してもよい。このように不適正な浄水カートリッジへの水の流入を阻止することにより、仮に浄水カートリッジが粗悪なもの（例えば、浄水が十分に行われないものや浄水カートリッジから有害な物質等が排出されるもの）であった場合に、浄水カートリッジから電解水生成装置内の構成物（例えば電解槽等）に有害な物質等が流入することを阻止することができる。
【００４１】
また、ＩＣ９２には、読み書き装置７０から各種情報の書き込みおよび読み出しが可能である。例えば、浄水カートリッジ８０を通水した積算の水量、浄水カートリッジ８０を交換してからの積算時間、浄水カートリッジ８０の時間および水量による寿命等を書き込み／読み出ししてもよい。さらに、水素水、酸性水および浄水のような吐水状態ごとの積算時間を記録するようにしてもよい。また、所定の水量を使用するまでの積算時間を所定の水量毎に記録するようにしてもよい。このような記憶情報は、例えば浄水カートリッジの交換時期の報知に加えて、電解水生成装置Ａや浄水カートリッジ８０の不具合が発生した際の解析などに用いることができる。さらに上記のように積算水量を記憶することにより、浄水カートリッジ８０を使用している途中で装着先の機器を変更したときでも、積算途中の水量から再カウントし、その再カウント結果に基づいて、浄水カートリッジ８０の交換時期を報知することができる。
【００４２】
また、浄水カートリッジ８０の出荷前検査において、検査した回数を検査装置からＩＣ９２の記憶回路に書込むようにしてもよい。このように検査回数を記憶することにより、未検査の状態で出荷されることを防ぐことができる。
【００４３】
以上のように、本実施形態によると、装置本体４０の装着パネル６１の後側の外周縁から浄水カートリッジ８０の外周を囲むように上方に延びる板状のガイドプレート６２を設けることによって、装置本体４０や浄水カートリッジ８０の残留水等のガイドプレート６２外への漏水が防がれる。さらに、ガイドプレート６２は、装着された浄水カートリッジ８０を囲むように上下方向に延びているため、装着された浄水カートリッジ８０が傾倒することはない。すなわち、ＲＦＩＤタグ９０と読み書き装置７０とを安定して近接配置することができ、かつ浄水カートリッジ８０から装置本体４０等への水漏れを確実に防止することができる。
【００４４】
［その他の実施形態］
以上、本発明を好ましい実施形態により説明してきたが、種々の改変が可能である。
【００４５】
例えば、上記の実施形態において、ＲＦＩＤタグ９０は浄水カートリッジ８０の下端部寄りの外周に貼りつけられているものとしたが、これに限られるものではない。例えば、図６に示すように、浄水カートリッジ８０が装着パネル６１に装着された状態において、ＲＦＩＤタグ９０は、平面型アンテナ９１の下端位置が、ガイドプレート６２の上端位置よりも高くなるように、浄水カートリッジ８０に貼りつけられてもよい。このとき、支持部７１の高さもＲＦＩＤタグ９０の貼り付け位置に応じて上方向に延ばすようにする。これにより、ガイドプレート６２内が浸水した場合においても、ＲＦＩＤタグ９０の平面型アンテナ９１は全体が水の影響を受けない。これにより、ガイドプレート６２内が浸水した場合において、平面型アンテナ９１の浸水による受信電力の低下の影響を排除することができる。また、ガイドプレート６２の高さを変えることによって、ＲＦＩＤタグ９０の平面型アンテナ９１の位置とガイドプレート６２上端の位置を調整してもかまわない。
【００４６】
また、上記の実施形態では、近距離無線通信用の無線タグとして、パッシブ型のＲＦＩＤタグを用いる例について説明したが、他の無線タグを用いてもかまわない。例えば、アクティブ型のＲＦＩＤタグや電池内蔵型のＲＦＩＤタグを用いてもよいし、他の無線タグを用いてもかまわない。
【００４７】
また、本実施形態では、浄水カートリッジ８０の水の流入部８３は、浄水カートリッジ８０の下端に設けられているものとしたが、下端以外の部分（例えば上端）に設けられていてもかまわない。
【符号の説明】
【００４８】
Ａ  電解水生成装置（飲用水処理装置）
４０  装置本体
５１  電解槽
６１  装着パネル（装着部）
６１ａ  流入孔（連通孔）
６１ｂ  流出孔（連通孔）
６２  ガイドプレート（ガイド部）
７０  読み書き装置
８０  浄水カートリッジ
９０  ＲＦＩＤタグ（無線タグ）
９１  平面型アンテナ
【手続補正２】
【補正対象書類名】特許請求の範囲
【補正対象項目名】全文
【補正方法】変更
【補正の内容】
【特許請求の範囲】
【請求項１】
装置本体の装着部に着脱可能な浄水カートリッジと、前記浄水カートリッジから吐出された水を電気分解する電解槽とを備えた電解水生成装置であって、
前記浄水カートリッジの周壁部に設けられた近距離無線通信用の無線タグと、
前記装置本体に、前記装着部に装着された前記浄水カートリッジの前記無線タグと近接して対向するように設けられ、前記無線タグとの間で通信する読み書き装置とを備えており、
前記装置本体には、前記装着部に装着された前記浄水カートリッジの外周を囲むように該装着部から上方に向かって延び、前記無線タグと前記読み書き装置との距離が一定範囲に保たれるように該浄水カートリッジの傾倒を規制するガイド部が設けられており、
前記ガイド部は、
前記装着部に装着された浄水カートリッジの無線タグと前記読み書き装置との間において該浄水カートリッジの外周の一部を囲み、かつ、前記装置本体内の空間を分割するように上下方向に延びる壁部と、
前記装着部に装着された浄水カートリッジの外周の残部を囲むように該装着部から上方に向かって延び、該浄水カートリッジの外周に沿った周方向の両端部がそれぞれ前記壁部の幅方向両端部に接続され、前記壁部より低いガイドプレートとを有し、
前記壁部と前記ガイドプレートとによって前記浄水カートリッジの外周を囲んでその傾倒を規制するように構成されている
ことを特徴とする電解水生成装置。
【請求項２】
請求項１記載の電解水生成装置において、
前記無線タグは、電力伝送および無線通信を行うための平面型アンテナを有しており、
前記ガイドプレートの高さは、前記装着部に装着された前記浄水カートリッジにおける前記平面型アンテナの上端位置よりも低い
ことを特徴とする電解水生成装置。
【請求項３】
請求項２記載の電解水生成装置において、
前記ガイドプレートの高さは、前記装着部に装着された前記浄水カートリッジにおける前記平面型アンテナの下端位置よりも低い
ことを特徴とする電解水生成装置。
【請求項４】
請求項１記載の電解水生成装置において、
前記浄水カートリッジの下端部には、水の流入口および流出口のうちの少なくともいずれか一方が、該浄水カートリッジ底面の中心以外の部位に設けられており、
前記装置本体の装着部には、前記水の流入口および流出口のうちの少なくともいずれか一方と対応するように連通孔が設けられている
ことを特徴とする電解水生成装置。